【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
マトリクス状に配置された複数の画素と該画素の各列に配置された複数の画像信号線と前記画素の各行に配置された複数の走査信号線とを備えた表示パネルと、
該走査信号線を駆動する走査信号線駆動手段と、
前記画像信号線に前記画素を駆動するための画像信号を供給する画像信号線駆動手段と、前記走査信号線駆動手段と前記画像信号線駆動手段とを駆動制御するタイミング制御手段と、昇圧回路により構成され前記画像信号線駆動手段と階調電圧生成手段とに出力駆動用電圧を供給する電源手段と、を具備するアクティブマトリクス表示装置において、前記タイミング制御手段は、該タイミング制御手段から前記画像信号線駆動手段に出力する画像表示制御信号が、垂直ブランキング期間終了時点から所定の期間に亘り先行して出力されるよう構成され、この先行出力により前記出力駆動用電圧の電圧変動が前記垂直ブランキング期間中に生じることを特徴とするアクティブマトリクス表示装置。
【請求項２】
前記画像表示制御信号は、前記画素の表示輝度に対応する表示データと、該表示データの前記画像信号線駆動手段での入出力タイミングを制御する駆動制御信号とに分別され、
前記先行出力用の前記表示データは、前記表示パネルにとって最大電圧に対応すること、を特徴とする請求項１に記載のアクティブマトリクス表示装置。
【請求項３】
前記画像表示制御信号は、前記画素の表示輝度に対応する表示データと、該表示データの前記画像信号線駆動手段での入出力タイミングを制御する駆動制御信号とに分別され、
前記先行出力用の前記表示データは、前記表示パネルにとって中間調電圧に対応することを特徴とする請求項１に記載のアクティブマトリクス表示装置。
【請求項４】
前記画像表示制御信号は、前記画素の表示輝度に対応する表示データと、該表示データの前記画像信号線駆動手段での入出力タイミングを制御する駆動制御信号とに分別され、
１フレーム前の第１行目の画像データを記憶するラインメモリをさらに具備し、
前記先行出力用の前記表示データは、前記ラインメモリに記憶された前記画像データに基づいて生成されることを特徴とする請求項１に記載のアクティブマトリクス表示装置。
【請求項５】
前記画像表示制御信号は、前記画素の表示輝度に対応する表示データと、該表示データの前記画像信号線駆動手段での入出力タイミングを制御する駆動制御信号とに分別され、
前記先行出力用の前記表示データは、前記表示パネルの画素の構成に応じて選択できることを特徴とする請求項１に記載のアクティブマトリクス表示装置。
【請求項６】
前記画像表示制御信号は、前記画素の表示輝度に対応する表示データと、該表示データの前記画像信号線駆動手段での入出力タイミングを制御する駆動制御信号とに分別され、
前記先行出力用の前記表示データは、前記画像信号線駆動手段の画像信号線駆動用出力電圧が徐々に上昇するよう生成されることを特徴とする請求項１に記載のアクティブマトリクス表示装置。
【請求項７】
前記所定の期間中の前記画像信号線駆動手段の出力極性の正負交番周期を、表示期間における交番周期より短くすることを特徴とする請求項１ないし６のいずれか一項に記載のアクティブマトリクス表示装置。
【請求項８】
前記所定の期間は、水平走査期間の２倍ないし２０倍に相当する期間であることを特徴とする請求項１ないし７のいずれか一項に記載のアクティブマトリクス表示装置。
【手続補正２】
【補正対象書類名】明細書
【補正対象項目名】００１１
【補正方法】変更
【補正の内容】
【００１１】
ソースドライバＩＣの出力電圧はアナログ電圧と階調電圧Ｖｒｅｆによって決まるが、アナログ電圧の電圧ドロップの影響がソースドライバＩＣの出力電圧に影響しないように、例えば図８に示すような階調電圧生成部（階調電圧生成手段）において抵抗と容量から構成するローパスフィルタを導入して階調電圧の電圧ドロップを抑制する場合もある。図８に示した階調電圧生成部の事例では、上記ローパスフィルタの出力電圧はソースドライバＩＣへ入力する最大階調電圧（Ｖｒｅｆ−Ｍａｘ）となる。そのローパスフィルタは、データイネーブル期間で最大階調電圧（Ｖｒｅｆ−Ｍａｘ）の電圧ドロップが生じても実際の表示画面上部にて表示ムラが視認されない所定の電圧ドロップ以下となるように、抵抗ＲｆとコンデンサＣｆが設定される。
【手続補正３】
【補正対象書類名】明細書
【補正対象項目名】００１２
【補正方法】変更
【補正の内容】
【００１２】
また、図１０に示したようにソースドライバＩＣの内部駆動回路動作用の電源であるアナログ電圧値Ｖｓｄは、たとえ電圧ドロップが生じても、出力動作に支障がない最低電圧値を保つ必要がある。
言い換えれば、この最低電圧値は、前記最大階調電圧（Ｖｒｅｆ−Ｍａｘ）にソースドライバＩＣで必要とされるアナログ電圧値と上記最大階調電圧（Ｖｒｅｆ−Ｍａｘ）との電位差を加えた電圧値となる。このため、アナログ電圧値の設定値として上記電圧ドロップを見込んで十分高い値を設定する必要がある。
【手続補正４】
【補正対象書類名】明細書
【補正対象項目名】００１６
【補正方法】変更
【補正の内容】
【００１６】
この発明に係るアクティブマトリクス表示装置は、マトリクス状に配置された複数の画素とこの画素の各列に配置された複数の画像信号線と前記画素の各行に配置された複数の走査信号線とを備えた表示パネルと、それら走査信号線を駆動する走査信号線駆動手段と、画像信号線に画素を駆動するための画像信号を供給する画像信号線駆動手段と、この画像信号線駆動手段と走査信号線駆動手段とを駆動制御するタイミング制御手段と、昇圧回路により構成され前記画像信号線駆動手段と階調電圧生成手段とに出力駆動用電圧を供給する電源手段とを具備しており、さらに前記タイミング制御手段は、このタイミング制御手段から前記画像信号線駆動手段に出力する画像表示制御信号が、垂直ブランキング期間終了時点から所定の期間に亘り先行して出力されるよう構成され、この先行出力により前記出力駆動用電圧の電圧変動が前記垂直ブランキング期間中に生じることを特徴とする。
【手続補正５】
【補正対象書類名】明細書
【補正対象項目名】００２６
【補正方法】変更
【補正の内容】
【００２６】
電源回路部６０は入力電圧Ｖｉｎからロジック電圧Ｖｄｄ、アナログ電圧Ｖｓｄ（出力駆動用電圧）、階調電圧Ｖｒｅｆ、ゲートＯＮ電圧Ｖｇｈ、ゲートＯＦＦ電圧Ｖｇｌ、コモン電圧６（Ｖｃｏｍ電圧）などを生成する。ここでＳ−ＩＣ５６には、電源回路部６０からロジック電圧Ｖｄｄ、アナログ電圧Ｖｓｄ、階調電圧Ｖｒｅｆから成るＳ−ＩＣ用電圧５が供給される。またＧ−ＩＣ５７には、電源回路部６０からロジック電圧Ｖｄｄ、ゲートＯＮ電圧Ｖｇｈ、ゲートＯＦＦ電圧Ｖｇｌから成るＧ−ＩＣ用電圧７が供給される。さらに電源回路部６０から液晶パネル５５の対向電極端子（Ｖｃｏｍ端子）にコモン電圧６（Ｖｃｏｍ電圧）が供給される。
【手続補正６】
【補正対象書類名】明細書
【補正対象項目名】００３０
【補正方法】変更
【補正の内容】
【００３０】
＜＜タイミング制御部の動作＞＞
図４の（ａ）は、図１で示したＴ−ＣＯＮ５８の内部において一点鎖線で図示したタイミング制御部５３内のソースドライバ先行動作付加回路部６２（破線で図示）の構成を示すブロック図である。ソースドライバ先行動作付加回路部６２は、図４の（ａ）にて示したとおり入力信号判別回路６３、1水平期間カウント回路６４、ブランキング期間カウント・保持回路６５、疑似ＤＥＮＡ判別・生成回路６６からなる。
【手続補正７】
【補正対象書類名】明細書
【補正対象項目名】００３３
【補正方法】変更
【補正の内容】
【００３３】
垂直ブランキング期間Ｔｂの具体的判別方法の一例を説明する。液晶パネル５５の解像度（一例としてＸＧＡならば７６８行×１０２４列）に対応して1フレーム中のＤＥＮＡ信号のパルス数は固定値で決まっている（一例のＸＧＡなら７６８）ため、１ｓｔＤＥＮＡからＤＥＮＡの立上りエッジをカウントすることでＬａｓｔＤＥＮＡは容易に判別ができる。また１ｓｔＤＥＮＡはＤＥＮＡ信号Ｌｏｗ期間が所定の値以上に長く続いた後の最初のＤＥＮＡであると定義することができ、こちらも容易に判別ができる。
あるいは他の判別方法として、入力信号２に垂直同期信号や水平同期信号が含まれる場合はこれらの入力信号を合わせ用いて判別してもよい。
【手続補正８】
【補正対象書類名】明細書
【補正対象項目名】００３５
【補正方法】変更
【補正の内容】
【００３５】
ブランキング期間カウント・保持回路６５は、垂直ブランキング期間Ｔｂが１水平走査期間(クロック数)を基準（１Ｈ）として何Ｈあるかをカウントする。一例として上記ＸＧＡの解像度を持つ液晶パネルを表示するための入力信号２の代表的なカウント数は３８（Ｈ）である。
さらに１ｓｔＤＥＮＡの立ち上がりタイミングをトリガーにしてこのブランキング期間カウント値１０を保持するとともに疑似ＤＥＮＡ判別・生成回路６６に、当該ブランキング期間カウント値１０（例えば上記カウント数３８）を出力する。
【手続補正９】
【補正対象書類名】明細書
【補正対象項目名】００３６
【補正方法】変更
【補正の内容】
【００３６】
疑似ＤＥＮＡ判別・生成回路６６は、１水平期間カウント値９（例えば上記１３４４）、前記ブランキング期間カウント値１０、ＣＬＫおよびブランキング期間判別信号８の情報をもとに垂直ブランキング期間Ｔｂ終了の数Ｈ前からソース出力を開始するようにブランキング期間出力信号（疑似ＤＥＮＡ信号）１１を生成、出力する。
【手続補正１０】
【補正対象書類名】明細書
【補正対象項目名】００４０
【補正方法】変更
【補正の内容】
【００４０】
図２および図３においては、垂直ブランキング期間Ｔｂにおいて画像信号線５２の駆動電圧波形を記載していないが、当該液晶パネル５５は画素の構成例としてＴＮモードを採用しているので、垂直ブランキング期間Ｔｂ終了間際に（すなわちデータイネーブル期間Ｔｄの開始に対して先行して）画像信号線５２を駆動する電圧は、電圧振幅が大きい黒電圧となる。この黒電圧は液晶パネル５５にとっては最大電圧に対応する。
【手続補正１１】
【補正対象書類名】明細書
【補正対象項目名】００４７
【補正方法】変更
【補正の内容】
【００４７】
実施の形態２．
本実施の形態２では、垂直ブランキング期間Ｔｂ終了間際に（すなわちデータイネーブル期間Ｔｄの開始に対して先行して）画像信号線５２への電圧印加を始める場合に、印加電圧を前フレームの1ライン目表示データ（図５中に符号１２で示した）とする。
図５は、図１で示したＴ−ＣＯＮ５８の内部において一点鎖線で図示したタイミング制御部５３内のソースドライバ先行動作付加回路部６２（破線で図示）の構成を示すブロック図である。同図で明らかなように、本実施の形態２では上述の実施の形態１に対して、ソースドライバ先行動作付加回路部６２内に、液晶パネル５５の１行目の各画素に表示するＶ−Ｄａｔａを保持するためのラインメモリ６７を追加している。その他、入力信号判別回路６３、1水平期間カウント回路６４、ブランキング期間カウント・保持回路６５、疑似ＤＥＮＡ判別・生成回路６６などは、上述の実施の形態１と同様であるので、詳細な説明は省略する。